(57)【要約】      （修正有）【課題】タイルを構造壁面に固定する施工の際に、タイル本体の裏面に形成された係合溝を見ながらタイル取付具を係合溝に係合でき、しかもタイルが地震等で割れたりしても、ネットの網の目より大きい破片が飛び散らないようにしたネット付タイルを提供する。【解決手段】ネット１６が、タイル本体２の裏面３の全面を覆い、場合によっては、裏面３に加えて左右の側面１７及び上下の側面１８の両方又はいずれかを覆い、かつタイル本体２の裏面３側に露出した状態で、接着剤で貼り付けられており、タイル本体２の裏面３には、係合溝９が形成されており、タイル本体２を建物の構造壁面に固定する施工に際して、ネット１６を係合溝９に沿って切断し又はネット１６を伸ばして、タイル取付具の係合部をタイル本体の裏面３の係合溝９に係合する。【選択図】図２
0003176077.tif 000002
【実用新案登録請求の範囲】
【請求項１】
ネットが、タイル本体の裏面の少なくとも全面を覆い、かつタイル本体の裏面側に露出した状態で、接着剤で貼り付けられてなる構成であることを特徴とするネット付きタイル。
【請求項２】
ネットが、タイル本体の裏面の少なくとも全面を覆い、かつタイル本体の裏面側に露出した状態で、接着剤で貼り付けられてなるネット付きタイルであって、
前記タイル本体の裏面には、ネット付きタイルを建物の構造壁面に固定するためのタイル取付具の係合部を係合させる係合溝が形成されている構成であることを特徴とするネット付きタイル。
【請求項３】
係合溝は、上側係合溝及び下側係合溝とから成り、上側係合溝及び下側係合溝は、それぞれタイル本体の裏面に対して上方に傾斜して深くなるように形成されており、
タイル取付具の係合部は、タイル本体の裏面の上側係合溝及び下側係合溝に係合可能なようにタイル側に折り曲げられた上側係合部及び下側係合部を有することを特徴とする請求項２に記載のネット付きタイル。
【請求項４】
ネットは、タイル本体の係合溝に、タイル取付具の係合部を係合する際に、係合溝に対応して切断して使用されることを特徴とする請求項２又は３に記載のネット付きタイル。
【請求項５】
ネットは、弾力性を有し、タイル本体の係合溝に、タイル取付具の係合部を係合する際に、切断することなく、弾力的に伸張されて使用されることを特徴とする請求項２又は３に記載のネット付きタイル。
【請求項６】
タイル本体の裏面の全面に加えて、タイル本体の上下の側面及び左右の側面の両方又はいずれか一方の側面がネットで覆われている構成であることを特徴とする請求項１〜５のいずれかに記載のネット付きタイル。
【考案の詳細な説明】
【技術分野】
【０００１】
本考案は、タイル本体の裏面にネットが貼り付けられており、強い地震等によってタイル本体が割れた際に、その破片（ネットの網の目より大きな破片）が飛び散ったり、落下したりすることを抑制する構成のタイルに関する。
【背景技術】
【０００２】
近年、大きな地震が頻発しており、建築物の構造強度の改善をはじめとして、建築資材についても、破壊による被災をなるべく少なくする諸技術を向上することが、求められている。従来、複数の部材を層状に重ねて形成した板状の建築資材において、層状に重ねた部材の一つとして網材を設けた構成は知られている。
【０００３】
例えば、建築用パネルの表面に合成繊維製のネットを被せて、その周縁部をパネルの側部に止着するとともに、ネットの上からポリマーモルタルを介して陶板を張り付けて成る化粧剤被覆パネルが知られている（特許文献１参照）。
【０００４】
また、ベース層と表面化粧層を積層し、表面化粧層の表層に鋼線から成る花柄模様のネット構造体を載置して、焼成して溶化一体化せしめて成る多孔質セラミック板が知られている（特許文献２参照）。
【先行技術文献】
【特許文献】
【０００５】
【特許文献１】特開平７−３３１８３４号公報（図３参照）
【特許文献２】特開平７−２３８６３３号公報（図１参照）
【考案の概要】
【考案が解決しようとする課題】
【０００６】
特許文献１に示されているように、建築用パネルの表面に合成繊維製のネットを被せ、ネットの上からポリマーモルタルを介して陶板を張り付けて成る化粧剤被覆パネルは、破砕時の落下を防止する効果はあるが、構造が複雑であり、その製造も面倒であるものと考えられる。
【０００７】
また、特許文献２に示されているように、ベース層、表面化粧層及び鋼線から成る花柄模様のネット構造体を積層し、焼成して溶化一体化せしめて成る多孔質セラミック板は、特許文献１記載のものと同様に、破砕時の落下を防止する効果はあるが、構造が複雑であり、その製造も面倒であるものと考えられる。
【０００８】
ところで、本考案者は、タイルをタイル取付具を介して建物の構造壁面に固定する構成（本明細書の実施例１参照）を、本願出願前に開発したが、この構成を鋭意研究開発の過程で、タイルが割れても破片が飛び散ったり、落下したりしない構成についていろいろと試行した。
【０００９】
その中で、本考案者は、タイル本体の裏面に布を貼ったタイルについても検討した。タイルの裏面に布を貼ってタイルが割れた際に、その破片が落下を防止する構成は、簡単な構造である。しかしながら、次のように、タイルを建物の構造壁面に固定する作業がきわめて面倒であるという切実な知見を得た。
【００１０】
即ち、上記本考案者が開発したタイルをタイル取付具を介して建物の構造壁面に固定する構成は、タイル本体の裏面に予め直線状の係合溝を形成しておき、この係合溝にタイル取付具の端部を係合して、このタイル取付具を介して建築物の建物の構造壁面に固定する構成である。
【００１１】
このように裏面に係合溝が形成されたタイル本体の場合は、その裏面に布を貼ると、布で係合溝がかくれてしまい、建物の構造壁面への取付作業において、溝の位置が分かりにくいという問題がある。仮に、溝の位置を手触りでつきとめても、カッターで溝に沿って布を切り裂くと、布がその切り裂き部位からタイルの裏面から剥離しやすいという問題がある。
【００１２】
本考案は、地震の際等に、内壁や外壁に設置したタイルが割れた際に、きわめて小さなタイルの破片が飛び散ったり、落下することはやむ得ないとしても、人に危害を及ぼすようなある程度大きなタイルの破片については、飛び散ったり、落下することを抑制する構造のタイルを実現するものである。特に、裏面に係合溝が形成されたタイルについて、その取付作業がし易い構造のタイルを実現するものである。
【課題を解決するための手段】
【００１３】
本考案は上記課題を解決するために、ネットが、タイル本体の裏面の少なくとも全面を覆い、かつタイル本体の裏面側に露出した状態で、接着剤で貼り付けられてなる構成であることを特徴とするネット付きタイルを提供する。
【００１４】
本考案は上記課題を解決するために、ネットが、タイル本体の裏面の少なくとも全面を覆い、かつタイル本体の裏面側に露出した状態で、接着剤で貼り付けられてなるネット付きタイルであって、前記タイル本体の裏面には、ネット付きタイルを建物の構造壁面に固定するためのタイル取付具の係合部を係合させる係合溝が形成されている構成であることを特徴とするネット付きタイルを提供する。
【００１５】
係合溝は、上側係合溝及び下側係合溝とから成り、上側係合溝及び下側係合溝は、それぞれタイル本体の裏面に対して上方に傾斜して深くなるように形成されており、タイル取付具の係合部は、タイル本体の裏面の上側係合溝及び下側係合溝に係合可能なようにタイル側に折り曲げられた上側係合部及び下側係合部を有する構成とすることが望ましい。
【００１６】
ネットは、タイル本体の係合溝に、タイル取付具の係合部を係合する際に、係合溝に対応して切断して使用される構成としてもよい。
【００１７】
ネットは、弾力性を有し、タイル本体の係合溝に、タイル取付具の係合部を係合する際に、切断することなく、弾力的に伸張されて使用される構成としてもよい。
【００１８】
タイル本体の裏面の全面に加えて、タイル本体の上下の側面及び左右の側面の両方又はいずれか一方の側面がネットで覆われている構成としてもよい。
【考案の効果】
【００１９】
本考案に係るメット付きタイルによれば次のような効果が生じる。
（１）地震の際等に、内壁や外壁に設置したタイルが割れて破損した際に、人に危害を及ぼすようなある程度大きなタイルの破片をネット内に極力閉じ込め、飛び散ったり、バラバラとなって落下したりすることを抑制し、人に対する危険の防止の一助となり、また補修、清掃（飛び散ったタイルの破片を拾い集める等の清掃）もし易くなる。
【００２０】
（２）裏面に係合溝が形成されたタイルについて、タイル取付具を係合する係合溝が見えるので、取付作業がし易くなる。
【００２１】
（３）裏面に係合溝が形成されたタイルについて、取付作業の際、係合溝にタイル取付具の端部を係合するためにネットを係合溝に沿ってカットしても、布に比べてネットがタイル本体の裏面から剥離しにくい。
【００２２】
（４）ネットを、弾性を有しある程度、伸張する素材で形成すれば、裏面に係合溝が形成されたタイルについて、ネットをカットすることなく、ネットの弾性を利用して伸張させてタイル取付具を係合溝に係合することも可能となる。
【図面の簡単な説明】
【００２３】
【図１】本考案のネット付きタイルの実施例１を説明する図であり、（ａ）はタイル本体の断面図であり、（ｂ）はタイル本体の正面図である。
【図２】本考案のネット付きタイルの実施例１を説明する図であり、（ａ）はネット付きタイルの断面図であり、（ｂ）はネット付きタイルの正面図であり、（ｃ）はネット付きタイルの斜視図である。
【図３】本考案のネット付きタイルの実施例１の変形例を示し、（ａ）、（ｂ）はタイル本体の裏面、左右の側面及び上下の側面を覆った構成を示し、（ｃ）はタイル本体の裏面及び左右の側面を覆った構成を示し、（ｄ）はタイル本体の裏面及び上下の側面を覆った構成を示す。
【図４】タイル取付具の構成を説明する図であり、（ａ）はタイル側から見た正面図であり、（ｂ）は側面図であり、（ｃ）、（ｄ）は斜視図である。
【図５】本考案の作用を説明する図であり、（ａ）はネット付きタイルを構造壁に固定した状態を示す図であり、（ｂ）は係合溝に沿ってネットの切断線を想像線（２点鎖線）で示し、（ｃ）は（ａ）の部分拡大図を示す図である。
【図６】本考案のネット付きタイルの実施例２及びその変形例を説明する図であり、（ａ）は実施例２のネット付きタイルの斜視図であり、（ｂ）〜（ｄ）は変形例を示し、（ｂ）はタイル本体の裏面、左右の側面及び上下の側面を覆った構成を示し、（ｃ）はタイル本体の裏面及び左右の側面を覆った構成を示し、（ｄ）はタイル本体の裏面及び上下の側面を覆った構成を示す。
【考案を実施するための形態】
【００２４】
本考案に係るネット付きタイルを実施するための形態を実施例に基づき図面を参照して、以下説明する。
【実施例】
【００２５】
（実施例１）
図１〜図５は、本考案のネット付きタイルの実施例１を説明する図である。ネット付きタイル１のタイル本体２は、図１（ａ）、（ｂ）に示すように、その裏面３に、上側係合溝７と下側係合溝８から成る係合溝９が、１又は２以上（この実施例１では４つ）形成されている。係合溝９は、タイル本体２の裏面３に、図４に示すようなタイル取付具６を取り付けるため溝である。
【００２６】
上側係合溝７と下側係合溝８は、それぞれタイル本体２を図１（ａ）に示すように起立した状態において、裏面３に対して上方に所定の角度θ°傾いて形成されている。上側係合溝７と下側係合溝８には、それぞれタイル取付具本体１１の上側係合部１２及び下側係合部１３が係合する（図５（ａ）、（ｃ）参照）。
【００２７】
図２は、本考案のネット付きタイル１の構成を説明する図である。本考案のネット付きタイル１は、図２（ａ）〜（ｃ）に示すように、タイル本体２の裏面３の全面がネット１６で覆われ、かつネット１６がタイル本体２の裏面３側に露出した状態で、タイル本体２の裏面３に接着剤で貼り付けてなる構成を特徴とする。
【００２８】
ここで、ネット１６がタイル本体２の裏面３側に露出した構成とは、タイル本体２の裏面３に貼り付けられたネット１６のさらにその外面には、他の材料は積層されていない構成である。
【００２９】
なお、本考案のネット付きタイル１は、タイル本体２の裏面３の全面のみでなく、全面に加えて、タイル本体２の左右の側面１７及び上下の側面１８がネット１６で覆われた構成としてもよい。このような構成を、実施例１のネット付きタイル１の変形例として、図３に示す。
【００３０】
図３（ａ）、（ｂ）に示すネット付きタイル１は、タイル本体２の裏面３、左右の側面１７及び上下の側面１８が覆われた構成である。図３（ｃ）に示すネット付きタイル１は、タイル本体２の裏面３及び左右の側面１７が覆われた構成である。図３（ｄ）に示すネット付きタイル１は、タイル本体２の裏面３及び上下の側面１８が覆われた構成である。
【００３１】
ネット１６は、強靱性（大きな引っ張り強度、剪断強度等）を有するネット１６であれば、その素材は、化学繊維（例．合成繊維、ガラス繊維、炭素繊維等）であっても、天然繊維（例．植物繊維、動物繊維等）であってもよい。ネット１６の編み目の寸法は、タイルが割れた際に、人に危害を及ぼすような大きさの破片は捕捉するように、タイルの大きさ、材質、用途等を考慮して、適宜決められる。
【００３２】
また、ネット１６はある程度の弾性を有し、外力が加えられると若干、伸張する素材から形成されたものでもよい。接着剤は、合成樹脂等の有機系接着剤又は無機系の接着剤等を使用すればよい。
【００３３】
タイル取付具６は、タイル本体２の裏面３に形成された１又は複数の係合溝９に応じて、１又は複数設けられている。タイル取付具６自体は、本考案の要旨ではないので、図４において、その構成例を簡単に説明する。
【００３４】
タイル取付具６は、タイル取付具本体１１とフック部２０から構成される。タイル取付具本体１１は、ステンレス等の金属材料で製造し、図４（ａ）に示すように、全体的には平面視では矩形である。
【００３５】
タイル取付具本体１１の上端部には、上側係合部１２が形成されている。上側係合部１２は、タイル取付具６を起立した状態（図４（ａ）、（ｂ）の状態）で、タイル側（フック部２０と反対側）の斜め上方に傾斜して伸びるように、タイル取付具本体１１の垂直部１９の延長線２２に対してθ°で屈曲された（曲げられた）傾斜片として形成されている。
【００３６】
タイル取付具本体１１の下端部には下側係合部１３が形成されている。下側係合部１３は、全体的には、タイル取付具本体１１の垂直部１９に対して鋭角をもってフック状にタイル側上方に曲げられて折り返された複数の折返し片から構成されている。
【００３７】
図４に示す例では、タイル取付本体１１の下端部に下端から上方に向けて縦方向に切り込み２３が２本入れられ、さらにタイル側上方に曲げられて折り返されて形成された、左右の係合用折返し片２６と中央の弾接用折返し片２７の計３つの折返し片が形成されている。
【００３８】
左右の係合用折返し片２６は、タイル本体２の下側係合溝８に沿うように下側係合溝８の角度θ（例えば４５°）とほぼ同じ大きさの折返し角度αで折り返されており、中央の弾接用折返し片２７は、左右の係合用折返し片の折返し角度より大きな折返し角度α’で折り返されている。
【００３９】
タイル取付具６のフック部２０は、正面視すると、タイル取付具本体１１とほぼ同幅であり矩形をしている。フック部２０は、タイル取付具本体１１に固定された固定部、水平部及び垂直部から成り、全体の断面形状がクランク状に形成されている。
【００４０】
フック部２０は、図５（ａ）に示すように、建物の構造壁面２８に固定した取付板２１に係止することで、ネット付きタイル１を建物の構造壁面２８に固定することを可能とする部分である。取付板２１は、構造壁面２８に固定するための垂直部２４と、下端において上方に折り返されフック部２０を受ける受け部２５から成る。
【００４１】
（作用）
以上の構成から成るネット付きタイル１を建物の構造壁面２８へ固定する施工を通して、その作用について、図５を参照して、以下説明する。本考案のネット付きタイル１を建物の構造壁面２８に固定するには、まず、タイル板２１の垂直部２４を建物の構造壁面２８に固定具（ボルト等）で固定する。
【００４２】
一方、図５（ｂ）において想像線（２点鎖線）で示すように、ネット付きタイル１の裏面３に貼り付けられたネット１６を、タイル取付具本体１１の上側係合溝７及び下側係合溝８に沿って、それぞれほぼ上側係合溝７及び下側係合溝８の長さの分だけカッター等でネット１６を切断する。
【００４３】
そして、タイル取付具本体１１を図５（ａ）に示すように、その上側係合部１２及び下側係合部１３を、タイル本体２の上側係合溝７及び下側係合溝８内に挿入して係合させる。すると、下側係合部１３の弾接用折返し片２７はバネとしての機能を発揮し、下側係合溝８の下面に弾力的にて当接して、タイル取付具本体１１を上方に向けて付勢する。
【００４４】
そのため、下側係合部１３の係合用折返し片２６は、下側係合溝８の傾斜上面に向けて付勢され、上側係合部１２は上側係合溝７の傾斜上面に向けて付勢される。その結果、タイル取付具６は、タイル７の係合溝に確実に係合して取り付けられ、タイル取付具６をタイル本体２の裏面３から引きはがすように引いても取り外すことができなくなる。
【００４５】
このように、タイル取付具本体１１の上側係合部１２及び下側係合部１３を、それぞれタイル本体２の上側係合溝７及び下側係合溝８に係合させることで、タイル本体２にタイル取付具６を取り付けてから、タイル取付具６のフック部２０を、取付板２１の受け部２５に挿入して係止する。そして、ネット付きタイル１及びタイル取付具６を取付板２１に装着し、ネット付きタイル１を建物の構造壁面２８に固定することができる。
【００４６】
本考案のネット付きタイル１は、タイル１の裏面３はネット１６で覆われている構成としたので、上側係合溝７及び下側係合溝８に対応してネット１６を切断するに際して、タイル本体２の裏面３が布で覆われている構成に較べて、上側係合溝７及び下側係合溝８に対応して、位置及び長さを的確に切断することが可能となる。
【００４７】
また、切断によって生じたネット１６の繊維材の端部がタイルから剥離しても、布張りのように面で貼り付けられ、剥離する外力が面に幅広く作用し一括的に剥離しがちな構成と比べて、ネット１６全体がタイル本体２から剥離しにくい。
【００４８】
そして、大きな震度の地震によって、タイル本体２に亀裂が入ったり、割れたりした際に、ネット１６の網の目より大きな破片は、ネット１６で捕捉されて落下しにくくなり、人への安全性も高まる。なお、本考案は、ネット１６の網の目より小さな破片や粉砕片まで捕捉しようとするものではない。このような小さな破片や粉砕片は、ネット１６で拘束されずに落下しても、人に対して危害を及ぼすことは少ないものと考えられる。
【００４９】
また、仮に、建物の構造壁面２８が崩壊したり、倒れたりして、タイル本体２が割れたような場合でも、ネット１６の網の目より大きな破片がバラバラに散らばることが抑制されるので、それらの破片や瓦礫の清掃及び処理もし易くなる。
【００５０】
なお、タイル本体の裏面に布を貼り付けた構成を、本件考案のような係合溝付きのタイル本体２の裏面３に適用した構成では、布を切断しなくては、タイル取付具本体１１の上側係合部１２及び下側係合部１３を、それぞれタイル本体２の上側係合溝７及び下側係合溝８に、強制的に挿入するようなことはできない。
【００５１】
しかしながら、本考案のネット付きタイル１において、ネット１６の素材をある程度の伸縮性、弾力性を有する繊維で形成する構成とした場合は、上記のように、上側係合溝７及び下側係合溝８に対応してネット１６を切断する作業をすることなく、タイル取付具本体１１の上側係合部１２及び下側係合部１３を、それぞれタイル本体２の上側係合溝７及び下側係合溝８に、ネット１６の弾性に抗してネット１６を伸ばすようにして係合させることも可能となる。
【００５２】
この場合に、ネット１６の弾性は、上側係合部１２及び下側係合部１３を上側係合溝７及び下側係合溝８から抜け出すような方向に若干作用する。
【００５３】
しかしながら、上記のとおり、下側係合部１３の弾接用折返し片２７のバネとしての機能により、タイル取付具本体１１を上方に向けて付勢し、下側係合部１３の係合用折返し片は、下側係合溝８の傾斜上面に向けて付勢され、上側係合部１２は上側係合溝７の傾斜上面に向けて付勢され、しかも、タイル本体２の重力が作用するので、上側係合部１２及び下側係合部１３を上側係合溝７及び下側係合溝８から抜け出すようなことはない。
【００５４】
以上のとおり、裏面３に係合溝９を有するネット付きタイル１については、その建物の構造壁面２８へ固定する施工に際しても、係合溝９が見えにくい等の支障を生じることなく、しかも、地震によって、タイル本体２が割れたりしても、ネット１６の編み目より大きな破片がバラバラになることを抑制する点で、人に危害を及ぼすようなことを防止し、清掃（破片の拾い集め作業等）、補修等においても有用である。
【００５５】
なお、タイル本体２の裏面３に形成される係合溝９の構成（形状、大きさ等）は、タイル取付具６の構成に対応して、上記実施例１に限定されることなく、いろいろな構成が考えられる。
【００５６】
（実施例２）
図６は、本考案のネット付きタイルの実施例２及びその変形例を説明する図である。タイル本体が割れた際に、ネットの網の目より大きくて落下して人に危害を及ぼすような破片がバラバラになることを抑制できるという効果に着目すれば、タイル本体の裏面にネットを貼り付けるという構成は、タイル取付具を係合する係合溝が形成されていない通常のタイルにも適用可能な構成である。                           
【００５７】
図６（ａ）に示す実施例２のネット付きタイル３１は、裏面３２にタイル取付具を係合する係合溝が形成されていないタイル本体３３において、その裏面３２にネット３６を貼り付けて成る構成である。このような構成により、タイル本体３３が割れた際に、ネット３６の網の目より大きい破片がバラバラになることが抑制できる。
【００５８】
図６（ｂ）〜（ｃ）は実施例２のネット付きタイルの変形例を示しており、いずれもそのタイル本体の裏面には、タイル取付具を係合する係合溝が形成されていない構成である。図６（ｂ）に示すネット付きタイル３７は、タイル本体３３の裏面３２、左右の側面３８及び上下の側面３９を覆った構成である。
【００５９】
図６（ｃ）に示すネット付きタイル４１は、タイル本体３３の裏面３２及び左右の側面３８を覆った構成である。図６（ｄ）に示すネット付きタイル４２は、タイル本体３３の裏面３２及び上下の側面３９を覆った構成である。
【００６０】
以上、本考案に係るネット付きタイルを実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００６１】
上記構成の本考案に係るネット付きタイルは、建物の構造壁面に固定される各種のタイル、サイディングボード等の外装部材、屋根部材等の取付のためにも適用可能である。
【符号の説明】
【００６２】
１  ネット付きタイル
２  タイル本体
３  タイル本体の裏面
６  タイル取付具         
７  タイル本体の上側係合溝
８  タイル本体の下側係合溝
９  タイル本体の係合溝
１１  タイル取付具本体
１２  タイル取付具本体の上側係合部
１３  タイル取付具本体の下側係合部
１６  ネット
１７  タイル本体の左右の側面
１８  タイル本体の上下の側面
１９  タイル取付具の垂直部
２０  タイル取付具のフック部
２１  取付板
２２  タイル取付具本体の裏面の垂直部の延長線
２３  タイル取付具本体の下側係合部の切り込み
２４  取付板の垂直部
２５  取付板の受け部
２６  タイル取付具本体の下側係合部の係合用折返し片
２７  タイル取付具本体の下側係合部の弾接用折返し片
２８  建物の構造壁面
３１  ネット付きタイル
３２  タイル本体の裏面
３３  タイル本体
３６  ネット
３７、４１、４２  ネット付きタイル
３８  タイル本体の左右の側面
３９  タイル本体の上下の側面
【図１】
0003176077.tif 000003
【図２】
0003176077.tif 000004
【図３】
0003176077.tif 000005
【図４】
0003176077.tif 000006
【図５】
0003176077.tif 000007
【図６】
0003176077.tif 000008